(57)【要約】      （修正有）【課題】自転車を漕ぐ時にペダルと足の一体感が有り、ペダルを引き上げる力を利用したり、負荷になる方の足をペダルから浮かす等、より楽に漕げる一般大衆が乗る市販自転車のペダルの補助具を提供する。【解決手段】ペダルのクランクアーム側に側壁を設け、側壁の上部から足当て用の小さな突起を足の甲の上に出せば、ペダルに乗せている足の、内側面と上部に拘束感が生まれ、ペダルと足の一体感が得られる。実際には、足当てと一体の、足当て支持腕を側壁に取り付け、側壁と錘を一体にしてペダルの下面に緊縛する。尚、ペダルの踏み面と足当て下面間の間隔を最適にして、ペダルと足の一体感を増やすために、足当て支持腕の側壁への取り付け角度を選択できる構成とする。【選択図】図２
0003131696.tif 000002
【実用新案登録請求の範囲】
【請求項１】
市販自転車のペダルに取り付けて使用する補助具であって、足当て部４と、足当て部４を支持する足当て支持腕４ａと、足当て支持腕４ａを支持する支持板２と、支持板２をペダル１の下面に定置するための錘兼取付板３と、錘兼取付板３をペダル１に固定するための緊縛帯５で構成された、足当て補助具。
【請求項２】
ペダル１の踏み面１ｃと足当て部４の下面までの間隔を段階的に調節するための構成であって、支持板２の足当て支持部２ｅ上部に設けた支点ボルト２ｂを、足当て支持腕４ａに設けた支点穴４ｂに挿入した後、足当て支持部２ｅに設けた複数の高さ調整穴２ｃに、足当て支持腕４ａの高さ調整ピン４ｃを選択して挿入し、支点ナット４ｄを支点ボルト２ｂに締め込むことで、足当て支持腕４ａを支持板２に固定出来る構成を備えた請求項１の足当て補助具。
【請求項３】
足当て部４の形体に関して、円錐体の先端部を除去し、除去面の直径が反対面の直径の３分の２以下である円錐台と突出量調整ネジで構成される足当て部４を備えた請求項１の足当て補助具。
【請求項４】
足当て支持部２ｅに足当て部４と一体の足当て支持腕４ａを取り付けた状態で、足当て支持部２ｅの内側面から足当て部４の先端までの突出長さを連続的に変更可能とする機構を備えた請求項１の足当て補助具。
【請求項５】
ペダル１をクランクアームから外すことなく支持板２と錘兼取付板３をペダル１に装着可能な構成としたことを特徴とする請求項１の足当て補助具。
【考案の詳細な説明】
【技術分野】
【０００１】
本考案は、一般大衆向け市販自転車のペダルに取り付けて使用する補助具に関するものである。
【背景技術】
【０００２】
一般大衆向け市販自転車のペダルは、クランクアームに固定されたペダル軸に回転自在に組み込まれた踏み台のみであり、ペダルと足との一体感が得られない。
【０００３】
これは、「ペダルは踏み込む力を利用するもの」との考えに依るもので、踏み込む足の反対側の足はペダルに乗っているので負荷になっているのに、このことが考慮されていないためと思われる。
【０００４】
上記の市販自転車のペダルで、負荷になっている方の足を踏み台から浮かそうとすると、次に踏み込む時に踏み外す等、危険である。
【０００５】
特許文献１には、足を上から押さえる装置が記載されているが、市販のペダルには利用できない。又、特許文献２にはペダルに取り付けて使用する補助具が記載されているが、利用目的が異なる。
【特許文献１】特開平２−１８５８８４号公報
【特許文献２】特開平８−１１７６９号公報
【考案の開示】
【考案が解決しようとする課題】
【０００６】
解決しようとする問題点は、市販の自転車を、より楽に漕ぐためには、両足の脚力を有効に利用する必要が有るが、現状は踏み込む足に対する反対側の足が負荷になることを考慮していないために、上記反対側の足をペダルから浮かせない。
【０００７】
又、クランクアームの円滑な回転運動を得るには、両足が協調した動作と、各ペダルと足の一体感を必要とするが、上記反対側の足でペダルを引き上げる方法が考慮されていない。
【課題を解決するための手段】
【０００８】
本考案は、クランクアームの円滑な回転運動を得るため、又、踏み込む足に対する反対側の足が負荷になることを防ぐために、ペダルに乗せている足を柔らかく拘束する補助具を市販の自転車ペダルに取り付けるもので、足当て部４と、足当て部４を支持する足当て支持腕４ａと、足当て支持腕４ａを支持する支持板２と、支持板２をペダル１の下面に定置するための錘兼取付板３と、錘兼取付板３をペダル１に固定するための緊縛帯５で構成される。
【０００９】
又、ペダル１の踏み面１ｃと足当て部４の下面までの間隔を段階的に調節するために、支持板２の足当て支持部２ｅ上部に設けた支点ボルト２ｂを、足当て支持腕４ａに設けた支点穴４ｂに挿入した後、足当て支持部２ｅに設けた複数の高さ調整穴２ｃに、足当て支持腕４ａの高さ調整ピン４ｃを選択して挿入し、支点ナット４ｄを支点ボルト２ｂに締め込み、足当て支持腕４ａを支持板２に固定する。
【００１０】
足当て部４は、円錐体の先端部を除去し、除去面の直径が反対面の直径の３分の２以下でその結果発生する傾斜面で足がペダル１から浮くのを抑制する円錐台と、この円錐台の取り付け軸として一体に形成された突出量調整ネジで構成し、
【００１１】
足当て支持腕４ａには、足当て支持部２ｅに足当て部４と一体の足当て支持腕４ａを取り付けた状態で、足当て支持部２ｅの内側面から足当て部４の先端までの突出長さを連続的に変更可能とする雌ネジを備えている。
【００１２】
尚、補助具全体をペダル１に固定する時に、ペダル１をクランクアームから外すことなく支持板２と錘兼取付板３をペダル１に装着可能な構成とする。
【考案の効果】
【００１３】
本考案の補助具をペダルに取り付けると、漕いでいる時はペダルから足が離れにくいので、両足とペダルの一体感があり、尚かつ踏み込む力と引き上げる力を同時に活用できるので円滑な回転運動を得ることが出来、従来のペダルより楽に漕げる。これらは、坂道や向かい風時の走行で実感できる。
【００１４】
又、ペダルに足を乗せる時に補助具があると違和感が生まれるが、本考案の補助具では足当て部４の突出量を極力短くしており、錘兼取付板を付加することで踏み面が常に上に在り違和感を押さえている。
【００１５】
又、咄嗟の時には本考案の補助具が有っても違和感なく足をペダルから離せる。
【考案を実施するための最良の形態】
【００１６】
考案したペダルの補助具は左右一対で機能するが、左足用を説明図に基づいて説明する。
【００１７】
図２で示すごとく、一般大衆向け市販自転車ペダルの下面に、支持板２と錘兼取付板３をペダル軸外筒１ｂを利用して緊縛帯５で取り付ける。この時、支持板２の嵌合用穴２ａ４個に錘兼取付板３の嵌合用突起３ｂ４個を嵌合し支持板２の横ずれを防ぐ。
【００１８】
錘兼取付板３はペダル１に足を乗せ易くするために、常時踏み面１ｃが上方に在るべくペダル全体の重心をペダル軸外筒１ｂの直下後方に置く役目をする。又、緊縛帯５を通すための緊縛帯穴３ａ４個と、支持板２の横ずれを防ぐための嵌合用突起３ｂ４個を設けておく。
【００１９】
支持板２はペダル１の下面と錘兼取付板３に挟まれて固定されるが、ペダル軸１ａをクランクアームから外すことなく本考案の補助具全体をペダル１に固定するために、組立時にペタル軸１ａと干渉する部分を削除した馬蹄形とし、その削除幅は嵌合用穴２ａを支持板２上に確保できる寸法とする。
【００２０】
又、支持板２は図２で示すごとく９０&deg;に折り曲げ、その結果形成される足当て支持部２ｅの上部に支点ボルト２ｂを固定し、この支点ボルト２ｂを支点として回転可能な、足当て部４と一体になった足当て支持腕４ａを、支点ボルト２ｂに取り付ける。
【００２１】
足当て部４は円錐台と、円錐台を足当て支持腕４ａに固定するための突出量調整ネジで構成される。
【００２２】
足当て支持腕４ａには、先端部に足当て部４の突出量調整用の雌ネジを設け、これに足当て部４の突出量調整ネジを挿入固定し任意の突出量（１５ｍｍから３０ｍｍ）を得る。
【００２３】
又、足当て支持腕４ａの後端部には、足当て支持部２ｅに設けた複数の高さ調整穴２ｃに選択挿入して、足当て部４の下面とペダル１の踏み面１ｃ間の間隔（４０ｍｍから６５ｍｍ）を決めるための、高さ調整ピン４ｃ設けている。
【００２４】
尚、足当て部４の突出長さが決まると足当て固定ナット４ｅで固定し、又、足当て支持腕４ａの高さ調整ピン４ｃが足当て支持部２ｅの高さ調整穴２ｃに選択挿入された後は、支点ナット４ｄで足当て支持腕４ａを足当て支持部２ｅに固定する。この時、両ナット共手による締結、弛緩が可能であり工具は不要。
【実施例１】
【００２５】
図７で示すのは、ペダル１の踏み面１ｃを水平に保つ場合である。これは、錘兼取付板３の垂直部を削除することで可能となる。
【産業上の利用可能性】
【００２６】
本考案のペダル補助具を使用すると、一般大衆が自転車を利用する機会が増え、自転車産業がより活発になる。
【図面の簡単な説明】
【００２７】
【図１】全体斜視図
【図２】全体組み立て図
【図３】支持板斜視図
【図４】錘兼取付板斜視図
【図５】足当て図で、５−１は正面図、５−２は側面図、５−３は斜視図
【図６】足当て高さ調整例で、６−１は中間高さ、６−２は上限高さ
【図７】踏み面を水平に保つ時の全体斜視図
【符号の説明】
【００２８】
１    ペダル
１ａ  ペダル軸
１ｂ  ペダル軸外筒
１ｃ  踏み面
２    支持板
２ａ  嵌合用穴
２ｂ  支点ボルト
２ｃ  高さ調整穴
２ｄ  固定部
２ｅ  足当て支持部
３    錘兼取付板
３ａ  緊縛帯穴
３ｂ  嵌合用突起
４    足当て部
４ａ  足当て支持腕
４ｂ  支点穴
４ｃ  高さ調整ピン
４ｄ  支点ナット
４ｅ  足当て固定ナット
５    緊縛帯
【図１】
0003131696.tif 000003
【図２】
0003131696.tif 000004
【図３】
0003131696.tif 000005
【図４】
0003131696.tif 000006
【図５】
0003131696.tif 000007
【図６】
0003131696.tif 000008
【図７】
0003131696.tif 000009